(57)【要約】【課題】  ペットにストレスを与えずにペットの歯を効率よく磨くことができるペットの歯磨きのための手袋を提供する。【解決手段】  本発明は、ペットの歯磨きのための手袋1であって、本体部分と、少なくとも1本の指の先の全周に横向きに形成された複数の凸部2とを有し、凸部2の幅は1mm〜4mmであり、かつ複数の凸部2の間隔は3mm〜6mmである、ペットの歯磨きのための手袋1であり、本体部分は編物であってもよく、凸部2は、編み目によって形成されてもよい。【選択図】      図1
2018031078.tif 000002
【特許請求の範囲】
【請求項１】
ペットの歯磨きのための手袋であって、
本体部分と、
少なくとも1本の指の先の全周に横向きに形成された複数の凸部と
を有し、
前記凸部の幅は1mm〜4mmであり、かつ前記複数の凸部の間隔は3mm〜6mmである、
ペットの歯磨きのための手袋。
【請求項２】
前記本体部分は編物であり、
前記凸部は編み目によって形成される、請求項1に記載の手袋。
【請求項３】
前記凸部は、プレーティングによって作製される、請求項2に記載の手袋。
【請求項４】
前記凸部は、前記本体部分とは異なる繊維を用いて作製される、請求項2または3に記載の手袋。
【発明の詳細な説明】
【技術分野】
【０００１】
本発明は、ペットの歯磨きのための手袋に関する。
【背景技術】
【０００２】
現在、日本では、約1100万頭の犬がペットとして飼われている。核家族化および少子化が進んだ現在では、犬は、ペットというよりむしろ家族の一員として扱われている。また、動物医療の進歩により、ペットもまた寿命を全うするまで長生きするようになっている。その結果、ペットにおいても、人間と同じように高齢化に伴い、腫瘍、痴呆、間接病および歯周病などの病気が見られるようになってきた。
【０００３】
中でも、成犬の約80％以上が歯周病であると言われている。歯周病は、進行すると、口の中だけでなく、全身に悪影響を及ぼし得る。歯周病菌は、たとえば心臓に入れば細菌性心膜炎、肝臓に入れば肝炎、腎臓に入れば間質性腎炎、骨に入れば骨髄炎など、様々な病気を引き起こす原因となる。
【０００４】
したがって、ペットの歯周病を予防するために、ペットの歯をブラッシングするペット用歯ブラシが開示されている。たとえば特許文献1には、握り部と、握り部先端に設けられ、多数本のブラシ毛を植毛したブラシ部とを有するペット用歯ブラシが記載されている。
【先行技術文献】
【特許文献】
【０００５】
【特許文献１】特開2012-231968号公報
【発明の概要】
【発明が解決しようとする課題】
【０００６】
歯周病は、飼い主が予防することができる病気の1つである。しかし、ペットは歯磨きの重要性を理解できないため、口の中に歯磨きのための棒を入れられることに苦痛や恐怖を感じる。獣医師によれば、歯ブラシによる歯磨きが可能な犬は全体の5〜10％であり、そのほとんどが赤ちゃんの時から歯磨きを習慣づけられた犬である。したがって、上述したような従来の歯ブラシでは、歯磨きを習慣づけられていないペットに使用することは困難である。
【０００７】
本発明は、上述した課題に着目してなされたものであり、ペットにストレスを与えずにペットの歯を効率よく磨くことができるペットの歯磨きのための手袋を提供することを目的とする。
【課題を解決するための手段】
【０００８】
本発明者らは、上記課題を解決するために鋭意検討を行い、手袋の指先に幅1mm〜4mmで、3mm〜6mmの間隔で凸部を形成させることにより、ペットの歯磨きを効率よく行うことができることを見出した。
【０００９】
また、本発明者らは、プレーティングの技術を応用して、通常裏面に現れる編み糸を手袋の表面の凸部として利用することにより、上記課題を解決できる手袋を容易に作製できることを見出した。
【００１０】
本発明は、ペットの歯磨きのための手袋であって、本体部分と、少なくとも1本の指の先の全周に横向きに形成された複数の凸部とを有し、凸部の幅は1mm〜4mmであり、かつ複数の凸部の間隔は3mm〜6mmである、ペットの歯磨きのための手袋を提供する。
【００１１】
また本発明は、上記手袋において、本体部分は編物であり、凸部は編み目によって形成される手袋を提供する。
【００１２】
また本発明は、上記手袋において、凸部がプレーティングによって作製される手袋を提供する。
【００１３】
また本発明は、上記手袋において、凸部が本体部分とは異なる繊維を用いて作製される手袋を提供する。
【発明の効果】
【００１４】
本発明の手袋は、手袋の形状であるため、歯磨きが習慣づけられていないペットであっても、ペットを怖がらせずに容易に歯磨きすることができる。本発明の手袋は、指先に複数の凸部を有するため、動物の歯の表面に付着している歯垢を物理的に破壊することができる。また、本発明の手袋は、指の先端で歯の隙間をも磨くことができる。したがって、本発明に係る手袋は、ペットにストレスを与えずにペットの歯を効率よく磨くことができる。また、本発明の手袋は、
【図面の簡単な説明】
【００１５】
【図１】本発明の手袋の一実施例を示す図。
【図２】本発明の手袋の一実施例の指先の拡大図。
【図３】本発明の手袋の一実施例の指先の側面図。
【発明を実施するための形態】
【００１６】
本発明の手袋は、ペットの歯磨きのための手袋である。ペットには、犬および猫などが含まれる。
【００１７】
以下、図面を参照して本発明の手袋を説明する。本発明の手袋は、本体部分と、少なくとも1つの指先の全周に横向きに形成された複数の凸部とを有する。たとえば、図1に示したように、本体部分は、人の手を覆うことができる形状、いわゆる手袋の形状の部材である。図1に示すように、本体部分は、5本の指を有する。また、本発明の手袋は、図1に示すように5本の指の全てを有していなくてもよい。本発明の手袋は、手袋の形状であるため、歯磨きが習慣づけられていないペットであっても、ペットを怖がらせずに容易に歯磨きすることができる。
【００１８】
図2および図3は、本発明の手袋の指先の拡大図である。凸部は、指先において、指の周りを囲むように帯状に形成される。複数の凸部は、指の先端から根元に向かって平行に配置され、たとえば等間隔で配置される。凸部が形成される範囲は、指の先端から根元に向かって1cm以上の範囲であってもよく、好ましくは2cm以上の範囲であってもよい。また、凸部が形成される範囲は、指の先端から根元に向かって6cm以下の範囲であってもよく、好ましくは4cm以下の範囲、より好ましくは3cm以下の範囲であってもよい。
【００１９】
凸部は、本体部分よりも高く（厚く）形成されていればよく、好ましくは本体部分よりも0.1mm以上、より好ましくは0.3mm以上、さらに好ましくは0.5mm以上高く形成されていてもよい。
【００２０】
凸部の幅は1mm〜4mmであることができ、好ましくは2mm〜3.5mmである。また、隣り合う凸部の間隔は3mm〜6mmであることができる。
【００２１】
凸部は、5本の指のうち、少なくとも1本の指の先に形成されればよく、好ましくは2本以上の指の先に形成されてもよく、より好ましくは5本全ての指の先に形成される。5本全ての指の先に凸部が形成されることにより、ペットの口の中のあらゆる箇所に指を入れて磨くことができ、ペットの歯をより効率よく磨くことができる。
【００２２】
本発明の手袋は、指先に複数の凸部を有するため、動物の歯の表面に付着している歯垢を物理的に破壊することができる。また、本発明の手袋は、指の先端で歯の隙間をも磨くことができる。本発明の手袋の指先の凸部を歯の隙間に沿ってこすることにより、凸部が歯の隙間に適合してペットの歯をより効率よく磨くことができる。
【００２３】
本発明の手袋は、繊維、ゴムおよび樹脂などにより構成されてもよい。繊維には、たとえば木綿、麻、リンネル、羊毛、絹およびカシミヤ等の天然繊維、ナイロン、ポリエステル、アクリル、ビニロン、ポリオレフィンおよびポリウレタン等の合成繊維ならびに混紡繊維などが含まれる。ゴムには、天然ゴム、ジエン系ゴム、イソプレンゴムおよびブチルゴムなどが含まれる。樹脂には、ポリ塩化ビニルおよびポリ酢酸ビニルなどが含まれる。
【００２４】
本発明の手袋の本体部分は、ゴムおよび樹脂等からなってもよく、凸部は、たとえばゴムおよび樹脂等の粒を付着させることにより形成されてもよい。
【００２５】
また、本発明の手袋の本体部分は、編物（ニット）であってもよい。編物とは、繊維からなる糸を編むことにより作製した布をいう。編物は、手編みであっても機械編みであってもよい。
【００２６】
凸部は、編み目によって形成されてもよい。本発明者は、たとえば、凸部をプレーティングの技術を応用して作製することに想到した。通常のプレーティング技術では生地の裏側に形成される面を利用して凸部として利用することができる。プレーティングは、添え糸編ともいい、2種類の編み糸を同時に表裏に編み分け、地糸の編糸が表側に、添え糸の糸口が裏側に表れる方法である。凸部は、本体部分に用いる繊維と、凸部に用いる繊維とのプレーティングによって作製することができる。たとえば、地糸と編糸を編み分けて、プレーティングによって裏目に現れる添え糸を凸部ととなるように軍手に編み込むことにより凸部を形成させ、最終的に編み上がった手袋の裏表を返して凸部が表目に現れるように製造することができる。本発明における凸部は、プレーティングにおいて周回ごとに裏の糸を抜くことにより作製された段差であってもよい。本発明の手袋は、プレーティングの技術を利用することにより、一回の編み作業によって凸部を作製することができるため、容易に製造することができる。また、プレーティング技術を利用して凸部を形成することにより、しっかりとした凸部を形成することができる。
【００２７】
本発明の手袋は、本体部分に用いる繊維と凸部に用いる繊維とが同じであってもよいし、異なってもよい。また、凸部の編み目にポリエステル、ナイロンおよびポリウレタンなどを使用して凸部を作製してもよい。凸部に用いる繊維の太さや材質を変更することによって所望の固さ、柔軟性および高さ等の凸部を形成することができる。
【００２８】
本発明の手袋は、このような特殊な編み目を施すことによって、柔軟に歯の凹凸面に密着して歯垢を物理的に破壊することができる。また、指先の先端の凸部を歯に沿わせることにより、歯の隙間だけでなく、歯と歯茎の間も磨くことを可能にする。さらに、凸部に用いる素材または繊維を変えることにより、硬さなどの物性を柔軟に変更することが可能である。
【００２９】
本発明の手袋は、その繊維の風合いを変えたり、色を変化させたりすることによって、使用者の嗜好に合った製品とすることが可能である。また、本発明の手袋は、その繊維に薬剤等を浸潤あるいは膨潤させることにより、歯周組織を効果的にマッサージしたり、除菌したりすることが可能である。
【実施例】
【００３０】
図1に示す手袋1を作製した。手袋1の本体部分は、綿100％を用い、網立てを行うことによって作製した。凸部2は、プレーティングの技術を応用して製造した。地糸と編糸を編み分けて、プレーティングによって裏目に現れる添え糸を凸部ととなるように軍手に編み込むことにより凸部を形成させ、最終的に裏表を返して凸部が表目に現れるように製造した。
【００３１】
作製した手袋1の凸部2の幅は約3mmであり、隣接する凸部2の間隔は約5mmとした。
【００３２】
この手袋1をはめて犬の歯磨きを行ったところ、手袋であるため犬が嫌がらず、容易に歯磨きすることができた。手袋1は薄手であるため、使用中の圧迫感がなく、スムーズに磨くことができた。適度な滑りが指先に伝わり、磨いている感覚が直に伝わるため、磨く力を調整しやすかった。従来の歯ブラシを使用したときには出血することがあったが、本実施例の手袋1を用いれば、出血することなく、安心して歯磨きすることができた。
【００３３】
また、指先の凸部2の段差がちょうど歯と歯の間の溝に入るため、食べ残しを取り除くことができた。さらに、歯の裏側にも簡単に指を差し入れることができ、磨きにくい場所も効果的に歯磨きすることができた。また、歯のぐらつきがあったときに、手袋1による歯磨きによって歯のぐらつきを指先で感じることができ、歯の異常を容易に発見することができた。したがって、すぐに動物病院に連れてき、適切な処置をすることができた。
【００３４】
ペットは、遊んでもらっている感覚で、ストレスなく歯磨きすることができた。
【産業上の利用可能性】
【００３５】
本発明は、ペット用の歯ブラシに好適に利用可能である。
【符号の説明】
【００３６】
1・・・手袋
2・・・凸部
【図１】
2018031078.tif 000003
【図２】
2018031078.tif 000004
【図３】
2018031078.tif 000005